(57)【要約】【課題】安らぎ感のある背もたれ椅子を提供する。【解決手段】弾性撓み変形可能な材料で自然状態では背もたれ形状になる弾性復元力を有するとともに使用状態では突っ張り力により背もたれ状態を維持しながら弾性変位可能な芯材シート（９，１２，１３，１４）を構成し、前記芯材シートの使用状態で着座姿勢の着座者の背中側となる面に重なるように緩衝用シート（１５，１６）を設けて椅子用シート材（１０３）を構成し、着座者の背中および頭部の背面に前記芯材シートおよび前記緩衝用シートを位置させる状態で、着座面より低い構成の椅子用支持フレーム（２０，２１，２２，２３，２４，２５）に前記椅子用シート材を取り付けてあることを特徴とする背もたれ椅子。
2012042742.tif 000002
【特許請求の範囲】
【請求項１】
弾性撓み変形可能なメッシュ状シートに弾性撓み変形可能な保形材を付設して自然状態では背もたれ形状になる弾性復元力を有するとともに使用状態では突っ張り力により背もたれ状態を維持しながら弾性変位可能な芯材シートを構成し、前記芯材シートの使用状態で着座姿勢の着座者の背中側となる面に重なるように緩衝用シートを設けて椅子用シート材を構成し、前記椅子用シート材の背もたれ部の上方部分を着座者の頭部を支持可能に延出し、かつ、前記延出部分に着座者の頭部の荷重がかかったときに前記延出部分を前記芯材シートの弾性により前記椅子用シート材の背もたれ部よりも後方に撓み変位可能に構成し、着座者の背中および頭部の背面に前記芯材シートおよび前記緩衝用シートを位置させる状態で、着座面より低い構成の椅子用支持フレームに前記椅子用シート材を取り付けてあることを特徴とする背もたれ椅子。
【請求項２】
弾性撓み変形可能なメッシュ状シートに弾性撓み変形可能な保形材を付設して自然状態では背もたれ形状になる弾性復元力を有するとともに使用状態では突っ張り力により背もたれ状態を維持しながら弾性変位可能な芯材シートを構成し、前記芯材シートの使用状態で着座姿勢の着座者の背中側となる面に重なるように緩衝用シートを設けて椅子用シート材を構成し、前記椅子用シート材の背もたれ部の左右幅を着座者の肩幅よりも大に、かつ、前記椅子用シート材の背もたれ部に着座者の荷重がかかったときに前記芯材シートの弾性により前記椅子用シート材の背もたれ部の左右両端が互いに接近する方向に変位可能に構成し、着座者の背中および頭部の背面に前記芯材シートおよび前記緩衝用シートを位置させる状態で、着座面より低い構成の椅子用支持フレームに前記椅子用シート材を取り付けてあることを特徴とする背もたれ椅子。
【請求項３】
請求項２に記載の背もたれ椅子において、
椅子用シート材の背もたれ部の上方部分を着座者の頭部を支持可能に延出し、かつ、前記延出部分に着座者の頭部の荷重がかかったときに前記延出部分を芯材シートの弾性により前記椅子用シート材の背もたれ部よりも後方に撓み変位可能に構成してある背もたれ椅子。
【請求項４】
請求項１、２、３のいずれかに記載の背もたれ椅子に用いる椅子用シート材であって、
芯材シートおよび緩衝用シートが平板状であり、前記芯材シートの下端縁を椅子用支持フレームの外周縁に沿うように弾性撓み変形させて前記椅子用支持フレームに取り付けることにより背もたれ椅子を構成可能にしてあることを特徴とする椅子用シート材。
【請求項５】
請求項４に記載の椅子用シート材において、
芯材シートおよび緩衝用シートを貫通して、着座部の全周の半分の長さまたはそれより長いほぼ半分の長さの切込み穴を形成し、前記切込み穴を椅子用支持フレームに外嵌させる状態で取り付けることにより背もたれ椅子を構成可能にしてあることを特徴とする椅子用シート材。
【請求項６】
高強度炭素繊維製シートにより弾性撓み変形可能に構成した保形材を備えて自然状態では背もたれ形状になる弾性復元力を有するとともに使用状態では突っ張り力により背もたれ状態を維持しながら弾性変位可能な芯材シートを構成し、前記芯材シートの使用状態で着座姿勢の着座者の背中側となる面に重なるように緩衝用シートを設けて椅子用シート材を構成し、前記椅子用シート材の背もたれ部の左右幅を着座者の肩幅よりも大に、かつ、前記椅子用シート材の背もたれ部に着座者の荷重がかかったときに前記芯材シートの弾性により前記椅子用シート材の背もたれ部の左右両端が互いに接近する方向に変位可能に構成し、着座者の背中および頭部の背面に前記芯材シートおよび前記緩衝用シートを位置させる状態で、着座面より低い構成の椅子用支持フレームに前記椅子用シート材を取り付けてあることを特徴とする背もたれ椅子。
【請求項７】
請求項６に記載の背もたれ椅子において、
椅子用シート材の背もたれ部の上方部分を着座者の頭部を支持可能に延出し、かつ、前記延出部分に着座者の頭部の荷重がかかったときに前記延出部分を芯材シートの弾性により前記椅子用シート材の背もたれ部よりも後方に撓み変位可能に構成してある背もたれ椅子。
【請求項８】
請求項６または７に記載の背もたれ椅子に用いる椅子用シート材であって、
芯材シートおよび緩衝用シートが平板状であり、前記芯材シートの下端縁を椅子用支持フレームの外周縁に沿うように弾性撓み変形させて前記椅子用支持フレームに取り付けることにより背もたれ椅子を構成可能にしてあることを特徴とする椅子用シート材。
【請求項９】
請求項８に記載の椅子用シート材において、
芯材シートおよび緩衝用シートを貫通して、着座部の全周の半分の長さまたはそれより長いほぼ半分の長さの切込み穴を形成し、前記切込み穴を椅子用支持フレームに外嵌させる状態で取り付けることにより背もたれ椅子を構成可能にしてあることを特徴とする椅子用シート材。
【発明の詳細な説明】
【技術分野】
【０００１】
本発明は、背もたれ椅子、および、その背もたれ椅子の製作に用いる椅子用シート材に関する。
【背景技術】
【０００２】
背もたれ椅子としては、従来、次のようなものが知られている。
（１）第１従来例
椅子が、前脚と後脚とが一体的に連なる大略的に逆Ｕ字状の一対の脚フレームと、各脚フレームを、前脚および後脚間の中間部で連結する中間連結部材と、各脚フレームの前脚の下端部にほぼ直角に連結される前脚連結部材と、各脚フレームの後脚の下端部にほぼ直角に連結される後脚連結部材と、各脚フレームの中間部間で中間連結部材に上方から固定される座板とを備えている。【０００３】
また、各脚フレームの中間部間で中間連結部材に下方から基部が固定され、この基部に略Ｌ字状の一対の背フレームが設けられ、この背フレームにおいて、基部の後脚側の端部から上方に延びる背受け部が備えられ、背受け部の上部が背板で連結されている。
一対の背フレームと背板とで背もたれが構成されている。各脚フレーム、各前脚連結部材、各後脚連結部材、および、各背フレームは、アルミニウム合金製の軸直角断面が四角形の角パイプから成っている（特許文献１参照）。【０００４】
（２）第２従来例
椅子が、ベース脚の回転軸に背もたれ部および座部を旋回動作させ得るように支持させて構成されている。
背もたれ部は、背もたれ下部フレームと、背もたれ上部フレームと、これら両フレームの間に弾性部材を介して架け渡した張り部材とを備えて構成され、かつ、両フレームが、リンク要素のブラケットに設けられた水平方向の回転軸に回転可能に取り付けられている（特許文献２参照）。【０００５】
（３）第３従来例
脚支柱の上端に、バネにより前方へ自己復帰する後方スライド機構を介して、浅底で平面から視て概ね箱状をなす基枠部材が取り付けられている。
基枠部材の中間部に、支持フレーム部材の前端部が水平軸により枢着され、支持フレーム部材の枢着点より後方側が持ち上がり側に少し傾斜するか乃至は座面と概ね平行に延長されるとともに、後端側から湾曲部を介して垂直方向に立ち上げられ、その立上り部分が背もたれ支持部に構成されている。
支持フレーム部材には、その前端部と後端側の中間部に、座の後部を載架して支持するための載架支持部材が設けられている。【０００６】
支持フレーム部材は、その水平軸に捩りバネをこのバネのコイル状部において挿装し、このバネの始端部を基枠部材に設けた前方バネ支持部に、またこのバネの後端部を支持フレーム部材に設けた後方バネ支持部にそれぞれ引掛け支持させることにより、バネが支持フレーム部材を常時、当該部材を水平軸を中心に反時計回り方向に付勢するように構成されている。
基枠部材において、その前端部に水平軸により枢着して、略長円形のリンク材により形成した支持駒部材が設けられ、その支持駒部材の上部に、ピンヒンジを介して座前部の載架支持部材となる支持板が前後揺動可能に架設されている。座前部と座後部の載架支持部に座インナーシェルが載架固定されている。【０００７】
座インナーシェルの後部が、支持フレーム部材の後部側から立上り部の境界部分に形成された彎曲部に沿った形状の彎曲立上り部に形成されているとともに、その下面側に、背もたれアウターシェル（背アウターシェル）の下部が結合されている。
座インナーシェルの彎曲部上端に下端部を一部重複させるか、又は、重複をさせないで、支持フレーム部材の立上り部の前面に背インナーシェルが張設されている。また、支持フレーム部材の立上り部の背面には背アウターシェルが貼設されている。
支持フレーム部材において、後端側から立上り部にかけて、連続した凹凸断面を具備する金属製パネルにより形成し、この構成により立上り部の真後ろ方向への撓みを抑制するとともに、斜め後方へは撓み易いように形成されている。
使用者が座面に腰掛け、背もたれに身体をあずけると、その荷重によって背もたれは、支持フレーム部材の立上り部、背インナーシェル、背アウターシェルが一体になって後傾するようになっている（特許文献３参照）。
【先行技術文献】
【特許文献】
【０００８】
【特許文献１】特開２００２−１２５８０４号公報（図１、図２参照）
【特許文献２】特開２００３−１０００１号公報（図１、図２参照）
【特許文献３】特開平１０−３２７９６５号公報（図１、図３、図４参照）
【発明の概要】
【発明が解決しようとする課題】
【０００９】
上述のように、従来の背もたれ椅子では、背中との接触部分にクッション材が付設されていても、第１従来例の背フレーム、第２従来例の背もたれ上部フレーム、第３従来例の支持フレーム部材の立上り部、背インナーシェル、背アウターシェルといったように、背もたれ全体が強度の大きい高剛性のフレーム部材で構成されている。また、背もたれが変位するものであっても、フレーム部材の下端側が着座部に揺動可能に取り付けられるとともに、バネ部材によって起立姿勢に復帰するように構成され、着座者が背もたれに荷重をかけたときに、背もたれ全体が揺動変位するようになっている。そのような構成のために、着座者の身体を包み込むように支えることができないものであった。【００１０】
また、背もたれの上部で頭部を支持できるものでは、背もたれの上方が一体的に延長されたものとか、あるいは、ヘッドレストを着脱可能に取り付けたものが知られているが、頭部の支持部分と背もたれ部分とが一体化して変位するに過ぎず、肩に対して頭部だけを後方にもたれるように荷重をかけても、頭部の支持箇所だけを変位させることができず、突っ張った状態になるだけで、安らぎ感に欠けるものであった。【００１１】
本発明は、このような事情に鑑みてなされたものであって、その目的は、安らぎ感のある背もたれ椅子を提供することにあり、ひとつの目的は、着座者の頭部を支持しながら肩に対して頭部だけを後方にもたれさせることができるようにすることにある。もうひとつの目的は、着座者が背もたれに荷重をかけたときに、着座者の身体を包み込むように支えることができるようにすることにあり、更なる目的は、着座者が背もたれに荷重をかけたときに、着座者の身体を包み込むように支えることができながら更に着座者の頭部を支持しながら肩に対して頭部だけを後方にもたれさせることができるようにすることにある。
また、別の目的は、上述のような安らぎ感のある背もたれ椅子を製作する上で取り扱い易くて安価に製作できる椅子用シート材を提供することにある。また、更に別の目的は、椅子用支持フレームへの組み付けを簡単にして椅子の組み立てを容易に行える椅子用シート材を提供することにある。
【課題を解決するための手段】
【００１２】
本発明の背もたれ椅子は、弾性撓み変形可能なメッシュ状シートに弾性撓み変形可能な保形材を付設して自然状態では背もたれ形状になる弾性復元力を有するとともに使用状態では突っ張り力により背もたれ状態を維持しながら弾性変位可能な芯材シートを構成し、前記芯材シートの使用状態で着座姿勢の着座者の背中側となる面に重なるように緩衝用シートを設けて椅子用シート材を構成し、前記椅子用シート材の背もたれ部の上方部分を着座者の頭部を支持可能に延出し、かつ、前記延出部分に着座者の頭部の荷重がかかったときに前記延出部分を前記芯材シートの弾性により前記椅子用シート材の背もたれ部よりも後方に撓み変位可能に構成し、着座者の背中および頭部の背面に前記芯材シートおよび前記緩衝用シートを位置させる状態で、着座面より低い構成の椅子用支持フレームに前記椅子用シート材を取り付けてあることを特徴としている。
ここで、「背もたれ状態を維持しながら弾性変位可能」とは、着座者の背中により椅子用シート材の背もたれ部に荷重がかかったときに、自然状態の背もたれ形状の状態から、着座者の背中が椅子用シート材の背もたれ部に接触しながら弾性変位可能であることを意味している（以下、同じである）。【００１３】
本発明の背もたれ椅子によれば、いずれも弾性撓み変形可能なメッシュ状シートと保形材とによって芯材シートを構成するとともに、その芯材シートと緩衝用シートとによって椅子用シート材を構成し、着座面より低い構成の椅子用支持フレームに椅子用シート材を取り付けて背もたれ椅子を構成する。これにより、自然状態では背もたれ形状になり、一方、使用状態では、すなわち、背もたれに着座者が荷重をかけたときには、メッシュ状シートおよび保形材ならびに相互の突っ張り力により背もたれ状態を維持しながら弾性変位させることができる。しかも、椅子用シート材の背もたれ部の上方に延出して着座者の頭部を支持する延出部分を、着座者の頭部の荷重がかかったときに芯材シートの弾性により椅子用シート材の背もたれ部よりも後方に撓み変位させ、着座者の頭部を支持しながら肩に対して頭部だけを後方にもたれさせることができる。
したがって、従来のように、背もたれ全体を強度の大きい高剛性のフレーム部材で構成せずに、背もたれに着座者が荷重をかけたときには、背もたれ状態を維持しながら弾性変位させ、かつ、着座者の頭部の荷重がかかったときには、延出部分を椅子用シート材の背もたれ部よりも後方に撓み変位させるから、着座者の身体全体を柔らかく支持できるとともに、延出部分で着座者の頭部を支持しながら肩に対して頭部だけを後方にもたれさせることができ、着座者がゆったりと座ることができるとともにその身体全体から頭部まで柔らかく支えることができ、安らぎ感のある背もたれ椅子を提供できる。【００１４】
また、この発明の背もたれ椅子は、弾性撓み変形可能なメッシュ状シートに弾性撓み変形可能な保形材を付設して自然状態では背もたれ形状になる弾性復元力を有するとともに使用状態では突っ張り力により背もたれ状態を維持しながら弾性変位可能な芯材シートを構成し、前記芯材シートの使用状態で着座姿勢の着座者の背中側となる面に重なるように緩衝用シートを設けて椅子用シート材を構成し、前記椅子用シート材の背もたれ部の左右幅を着座者の肩幅よりも大に、かつ、前記椅子用シート材の背もたれ部に着座者の荷重がかかったときに前記芯材シートの弾性により前記椅子用シート材の背もたれ部の左右両端が互いに接近する方向に変位可能に構成し、着座者の背中および頭部の背面に前記芯材シートおよび前記緩衝用シートを位置させる状態で、着座面より低い構成の椅子用支持フレームに前記椅子用シート材を取り付けて構成する。【００１５】
この発明の背もたれ椅子によれば、いずれも弾性撓み変形可能なメッシュ状シートと保形材とによって芯材シートを構成するとともに、その芯材シートと緩衝用シートとによって椅子用シート材を構成し、着座面より低い構成の椅子用支持フレームに椅子用シート材を取り付けて背もたれ椅子を構成する。これにより、自然状態では背もたれ形状になり、一方、使用状態では、すなわち、背もたれに着座者が荷重をかけたときには、メッシュ状シートおよび保形材自体ならびに相互の突っ張り力により背もたれ状態を維持しながら弾性変位させることができる。しかも、椅子用シート材の背もたれ部の左右幅を着座者の肩幅よりも大で、かつ、椅子用シート材の背もたれ部に着座者の荷重がかかったときに芯材シートの弾性により椅子用シート材の背もたれ部の左右両端を互いに接近する方向に変位させ、着座者の身体を包み込むように支えることができる。
したがって、従来のように、背もたれ全体を強度の大きい高剛性のフレーム部材で構成せずに、背もたれに着座者が荷重をかけたときには、背もたれ状態を維持しながら弾性変位させ、かつ、椅子用シート材の背もたれ部に着座者の荷重がかかったときに芯材シートの弾性により椅子用シート材の背もたれ部の左右両端を互いに接近する方向に変位させるから、着座者の身体全体を柔らかく包み込むように支えることができ、着座者がゆったりと座ることができるとともにその身体全体を柔らかく包み込むように支えることができ、安らぎ感のある背もたれ椅子を提供できる。【００１６】
また、上記発明の背もたれ椅子において、椅子用シート材の背もたれ部の上方部分を着座者の頭部を支持可能に延出し、かつ、前記延出部分に着座者の頭部の荷重がかかったときに前記延出部分を芯材シートの弾性により前記椅子用シート材の背もたれ部よりも後方に撓み変位可能に構成するのが好ましい。
これにより、着座者の頭部の荷重がかかったときには、延出部分を椅子用シート材の背もたれ部よりも後方に撓み変位させるから、延出部分で着座者の頭部を支持しながら肩に対して頭部だけを後方にもたれさせることができ、着座者がゆったりと座ることができるとともにその身体全体を柔らかく包み込むように支えることができながら、更に、着座者の頭部を柔らかく支えることができ、一層安らぎ感のある背もたれ椅子を提供できる。【００１７】
また、上記発明の背もたれ椅子に用いる椅子用シート材としては、芯材シートおよび緩衝用シートを平板状に構成し、前記芯材シートの下端縁を椅子用支持フレームの外周縁に沿うように弾性撓み変形させて前記椅子用支持フレームに取り付けることにより背もたれ椅子を構成可能にするのが好ましい。
この椅子用シート材によれば、保管や椅子用支持フレームとの組み付け箇所への搬送に際して多数の椅子用シート材を積み重ねることができ、保管スペースが狭くて済むとともに椅子用シート材を効率良く搬送して搬送コストを低減でき、背もたれ椅子を安価に製作できる。【００１８】
更に、上記椅子用シート材において、芯材シートおよび緩衝用シートを貫通して、着座部の全周の半分の長さまたはそれより長いほぼ半分の長さの切込み穴を形成し、前記切込み穴を椅子用支持フレームに外嵌させる状態で取り付けることにより背もたれ椅子を構成可能にするのが好ましい。
この椅子用シート材によれば、切込み穴を椅子用支持フレームに外嵌させて、椅子用シート材を椅子用支持フレームに取り付けることができる。
したがって、椅子用支持フレームの全周に、椅子用シート材の切込み穴を位置させることにより、椅子用支持フレームに対する椅子用シート材の位置決めを容易に行うことができるから、椅子用シート材を椅子用支持フレームに簡単に組み付けて、椅子を容易に組み立てることができ、安らぎ感のある背もたれ椅子を安価にして提供できる。【００１９】
また、この発明の別の背もたれ椅子は、高強度炭素繊維製シートにより弾性撓み変形可能に構成した保形材を備えて自然状態では背もたれ形状になる弾性復元力を有するとともに使用状態では突っ張り力により背もたれ状態を維持しながら弾性変位可能な芯材シートを構成し、前記芯材シートの使用状態で着座姿勢の着座者の背中側となる面に重なるように緩衝用シートを設けて椅子用シート材を構成し、前記椅子用シート材の背もたれ部の左右幅を着座者の肩幅よりも大に、かつ、前記椅子用シート材の背もたれ部に着座者の荷重がかかったときに前記芯材シートの弾性により前記椅子用シート材の背もたれ部の左右両端が互いに接近する方向に変位可能に構成し、着座者の背中および頭部の背面に前記芯材シートおよび前記緩衝用シートを位置させる状態で、着座面より低い構成の椅子用支持フレームに前記椅子用シート材を取り付けて構成することを特徴としている。【００２０】
この発明の背もたれ椅子は、高強度炭素繊維製シートを接着樹脂に含浸させることにより、高強度でありながら充分な弾性復元力を備えた高強度炭素繊維製シートを得られるという知見に基づいてなされたものである。
すなわち、この発明の背もたれ椅子によれば、高強度炭素繊維製シートにより弾性撓み変形可能に構成した保形材を備えて芯材シートを構成するとともに、その芯材シートと緩衝用シートとによって椅子用シート材を構成し、着座面より低い構成の椅子用支持フレームに椅子用シート材を取り付けて背もたれ椅子を構成する。これにより、自然状態では背もたれ形状になり、一方、使用状態では、すなわち、背もたれに着座者が荷重をかけたときには、保形材自体の突っ張り力により背もたれ状態を維持しながら弾性変位させることができる。しかも、椅子用シート材の背もたれ部の左右幅を着座者の肩幅よりも大で、かつ、椅子用シート材の背もたれ部に着座者の荷重がかかったときに芯材シートの弾性により椅子用シート材の背もたれ部の左右両端を互いに接近する方向に変位させ、着座者の身体を包み込むように支えることができる。
したがって、従来のように、背もたれ全体を強度の大きい高剛性のフレーム部材で構成せずに、背もたれに着座者が荷重をかけたときには、背もたれ状態を維持しながら弾性変位させ、かつ、椅子用シート材の背もたれ部に着座者の荷重がかかったときに芯材シートの弾性により椅子用シート材の背もたれ部の左右両端を互いに接近する方向に変位させるから、着座者の身体全体を柔らかく包み込むように支えることができ、着座者がゆったりと座ることができるとともにその身体全体を柔らかく包み込むように支えることができ、安らぎ感のある背もたれ椅子を提供できる。【００２１】
この発明の背もたれ椅子においても、椅子用シート材の背もたれ部の上方部分を着座者の頭部を支持可能に延出し、かつ、前記延出部分に着座者の頭部の荷重がかかったときに前記延出部分を芯材シートの弾性により前記椅子用シート材の背もたれ部よりも後方に撓み変位可能に構成するのが好ましい。前述したように、着座者がゆったりと座ることができるとともにその身体全体を柔らかく包み込むように支えることができながら、更に、着座者の頭部を柔らかく支えることができ、一層安らぎ感のある背もたれ椅子を提供できるからである。【００２２】
上述発明の背もたれ椅子に用いる椅子用シート材としては、高強度炭素繊維製シートにより弾性撓み変形可能に構成した保形材を備えた芯材シートおよび緩衝用シートを平板状に構成し、前記芯材シートの下端縁を椅子用支持フレームの外周縁に沿うように弾性撓み変形させて前記椅子用支持フレームに取り付けることにより背もたれ椅子を構成可能にするのが好ましい。
この椅子用シート材によれば、保管や椅子用支持フレームとの組み付け箇所への搬送に際して多数の椅子用シート材を積み重ねることができ、保管スペースが狭くて済むとともに椅子用シート材を効率良く搬送して搬送コストを低減でき、背もたれ椅子を安価に製作できる。また、芯材シートが高強度炭素繊維製シートによる保形材を備えるから、軽量化を図ることができて取り扱いやすくて製作しやすい。【００２３】
更に、上記椅子用シート材において、芯材シートおよび緩衝用シートを貫通して、着座部の全周の半分の長さまたはそれより長いほぼ半分の長さの切込み穴を形成し、前記切込み穴を椅子用支持フレームに外嵌させる状態で取り付けることにより背もたれ椅子を構成可能にするのが好ましい。
この椅子用シート材によれば、切込み穴を椅子用支持フレームに外嵌させて、椅子用シート材を椅子用支持フレームに取り付けることができる。
したがって、椅子用支持フレームの全周に、椅子用シート材の切込み穴を位置させることにより、椅子用支持フレームに対する椅子用シート材の位置決めを容易に行うことができるから、椅子用シート材を椅子用支持フレームに簡単に組み付けて、椅子を容易に組み立てることができ、安らぎ感のある背もたれ椅子を安価にして提供できる。
【発明の効果】
【００２４】
本発明の背もたれ椅子の構成によれば、いずれも弾性撓み変形可能なメッシュ状シートと保形材とによって芯材シートを構成するとともに、その芯材シートと緩衝用シートとによって椅子用シート材を構成し、着座面より低い構成の椅子用支持フレームに椅子用シート材を取り付けて背もたれ椅子を構成する。これにより、自然状態では背もたれ形状になり、一方、使用状態では、すなわち、背もたれに着座者が荷重をかけたときには、メッシュ状シートおよび保形材自体ならびに相互の突っ張り力により背もたれ状態を維持しながら弾性変位させることができる。しかも、椅子用シート材の背もたれ部の上方に延出して着座者の頭部を支持する延出部分を、着座者の頭部の荷重がかかったときに芯材シートの弾性により椅子用シート材の背もたれ部よりも後方に撓み変位させ、着座者の頭部を支持しながら肩に対して頭部だけを後方にもたれさせることができる。
したがって、従来のように、背もたれ全体を強度の大きい高剛性のフレーム部材で構成せずに、背もたれに着座者が荷重をかけたときには、背もたれ状態を維持しながら弾性変位させ、かつ、着座者の頭部の荷重がかかったときには、延出部分を椅子用シート材の背もたれ部よりも後方に撓み変位させるから、着座者の身体全体を柔らかく支持できるとともに、延出部分で着座者の頭部を支持しながら肩に対して頭部だけを後方にもたれさせることができ、着座者がゆったりと座ることができるとともにその身体全体から頭部まで柔らかく支えることができ、安らぎ感のある背もたれ椅子を提供できる。
【図面の簡単な説明】
【００２５】
【図１】本発明に係る背もたれ椅子の実施例１を示す全体斜視図である。
【図２】椅子用シート材の一部破断正面図である。
【図３】椅子用シート材の構成材の構成を離間して示す構成図である。
【図４】保形材の正面図である。
【図５】背もたれ椅子の全体平面図である。
【図６】背もたれ椅子の全体側面図である。
【図７】組み立て構成を示す分解斜視図である。
【図８】（ａ）は、本発明に係る背もたれ椅子の実施例２の椅子用シート材の一部破断正面図、（ｂ）は、実施例２の分解斜視図である。
【図９】本発明に係る背もたれ椅子の実施例３の椅子用シート材の正面図である。
【図１０】実施例３の椅子用シート材の一部破断正面図である。
【図１１】実施例３の椅子用シート材の構成材の構成を離間して示す構成図である。
【図１２】本発明に係る背もたれ椅子の実施例４の椅子用シート材の一部破断正面図である。
【図１３】実施例４の椅子用シート材の構成材の構成を離間して示す構成図である。
【発明を実施するための形態】
【００２６】
次に、この発明の実施例について図面を参照しながら説明する。
【実施例１】
【００２７】
図１は、本発明に係る背もたれ椅子の実施例１を示す全体斜視図であり、着座面より低い構成の椅子用支持フレーム１に、背もたれ部２を有する椅子用シート材３が取り付けられて背もたれ椅子が構成されている。
椅子用シート材３は、図２の椅子用シート材の一部破断正面図に示すように、上方側が突き出た全体四角形状に形成され、その椅子用シート材３を貫通して、左右の頂角どうしを結ぶ仮想線上あるいはそれと略平行な位置に、椅子の着座部の全周の半分の長さまたはそれより長いほぼ半分の長さの長円形状の切込み穴４が形成され、切込み穴４を椅子用支持フレーム１に外嵌させる状態で椅子用シート材３が取り付けられている。【００２８】
図３は椅子用シート材の構成材の構成を離間して示す構成図（図３は、各構成材の配置関係を示すものであり、各構成材間の厚みおよび上下長さそれぞれの比率は対応していない）であり、椅子用シート材３が、芯材シート５と、その芯材シート５の使用状態で着座姿勢の着座者の背中側となる面およびそれとは反対側の面それぞれに重なるように設けられた背中側緩衝用シート６および外面側緩衝用シート７とから構成されている。【００２９】
芯材シート５は、保形材８に、その使用状態で着座姿勢の着座者の背中側となる面に第１のメッシュ状シート９を付設するとともに、反対側の面に第２および第３のメッシュ状シート１０，１１を付設して構成されている。
保形材８は、切込み穴４に近接させた基板部から上方に放射状に分散して延出させた放射性芯材１２と、その放射性芯材１２の基板部側に配置して、着座者の腰部分に対する支持強度を高める第１および第２の補強用芯材１３，１４とから構成されている。【００３０】
放射性芯材１２は、図４の保形材の正面図に示すように、薄肉（例えば、０．３ｍｍ）のステンレス製プレートを切断し、椅子用支持フレーム１に連結する基板部を残し、左右両端のものの幅を他部よりも広くするとともに、中央部のものの基板側の幅をやや広くかつ先端側に幅広部分を形成する状態で放射状に構成されている。放射性芯材１２の先端部分それぞれは、正面視で滑らかな円形に形成されている。【００３１】
第１の補強用芯材１３は、表面を亜鉛で被覆した細い線径（例えば、０．７ｍｍ）の亜鉛引きスチール線を網状（例えば、目合５ｍｍ）にし、かつ、外周縁の網の切口をテープで被覆保護して構成されている。
第２の補強用芯材１４は、薄肉（例えば、０．３ｍｍ）のステンレス製プレートで構成されている。
放射性芯材１２と第１の補強用芯材１３、および、第１の補強用芯材１３と第２の補強用芯材１４それぞれは合成ゴム系溶剤型接着剤で接着されている。
上記構成により、保形材８が全体として弾性撓み変形可能に構成されている。【００３２】
第１のメッシュ状シート９は、ポリプロピレンの糸芯にポリエステル加工を施してメッシュ状に成形されている。
また、第２のメッシュ状シート１０は、ポリプロピレン製で、薄肉（例えば、０．３ｍｍ）で線幅１ｍｍ、４ｍｍピッチの格子でメッシュ状に成形されている。
また、第３のメッシュ状シート１１は、直径０．５ｍｍの金属線をビニールコーティングした太さが２ｍｍの線材により、亀甲部分の一辺長さ２０ｍｍ、目合１０ｍｍの亀甲状でメッシュ状に成形されている。ここでは、幅９１０ｍｍのものを所定形状に切断して使用した。
第１のメッシュ状シート９と保形材８、保形材８と第２のメッシュ状シート１０、および、第２のメッシュ状シート１０と第３のメッシュ状シート１１それぞれは合成ゴム系溶剤型接着剤で接着されている。
上記構成により、芯材シート５が、自然状態では背もたれ形状になる弾性復元力を有するとともに使用状態では突っ張り力により背もたれ状態を維持しながら弾性変位可能に構成されている。【００３３】
背中側緩衝用シート６は、厚みのある（例えば、２０ｍｍ）ウレタン製の第１の緩衝用シート１５と、第１の緩衝用シート１５の半分程度の厚みのチップウレタンによる第２の緩衝用シート１６で構成されている。第１の緩衝用シート１５と第２の緩衝用シート１６とが合成ゴム系溶剤型接着剤で接着されるとともに、第２の緩衝用シート１６と第１のメッシュ状シート９とが合成ゴム系溶剤型接着剤で接着されている。【００３４】
外面側緩衝用シート７は、シート状（例えば、厚み３ｍｍ）に成形された不織布７ａを二枚重ね合わせ、ニードルパンチにより一体化して構成されている。
第１の緩衝用シート１５の外周縁が外方側に折り返され、その端縁が外面側緩衝用シート７に縫合などにより接合されている。【００３５】
椅子用シート材３の使用状態で両肘部分それぞれに対応する箇所において、外面側緩衝用シート７の両不織布７ａ，７ａ間に、合成ゴム系溶剤型接着剤で接着された第１および第２の肘部補強用芯材１７，１８が介装されている。
第１の肘部補強用芯材１７は、所定の強度を有しながらも弾性撓み変形可能なように薄肉（例えば、０．３ｍｍ）のステンレス製プレートで構成され、その一端側に椅子用支持フレーム１への取付穴１９が形成されている。
第２の肘部補強用芯材１８は、スチール線の表面を亜鉛で被覆した細い線径（例えば、０．７ｍｍ）の亜鉛引きスチール線を網状（例えば、目合５ｍｍ）にし、かつ、外周縁の網の切口をテープで被覆保護して構成されている。
上記第１および第２の肘部補強用芯材１７，１８を介在させることにより、全体として、椅子用シート材３の肘部分に着座者の肘からの荷重がかかったときに、椅子用シート材３の背もたれ部２にかかる方向に直交する方向にかかる肘部分への荷重を受け止めながら、第１の肘部補強用芯材１７の弾性により、肘部分への荷重に対応して左右方向に変位できるように構成されている。【００３６】
椅子用シート材３の背もたれ部２の左右幅が着座者の肩幅よりも大に構成され（標準体型に基づいているが、やせ型や肥満型、体格の相違などに対しては、それぞれに合ったものを考慮すれば良い）、上記芯材シート５の構成と相俟って、図５の平面図に示すように、椅子用シート材３の背もたれ部２に着座者の荷重がかかったときに芯材シート５の弾性により椅子用シート材３の背もたれ部２の左右両端が互いに接近する方向に変位できるように構成されている。【００３７】
また、椅子用シート材３の背もたれ部２の上方部分が、着座者の頭部を支持可能に延出され、上記芯材シート５の構成と相俟って、図６の側面図に示すように、延出部分２ａに着座者の頭部の荷重がかかったときに、延出部分２ａが芯材シート５の弾性により椅子用シート材３の背もたれ部よりも後方に撓み変位できるように構成されている。
また、椅子用シート材３の構成材それぞれのいずれもが平板状で、椅子用シート材３が平板状に構成され、保管や椅子用支持フレーム１との組み付け箇所への搬送に際して多数の椅子用シート材３を積み重ねることができ、保管スペースが狭くて済むとともに椅子用シート材３を効率良く搬送して搬送コストを低減でき、背もたれ椅子を安価に製作できるようになっている。【００３８】
椅子用支持フレーム１は、図７の分解斜視図に示すように構成されている。
すなわち、上面が着座者の着座面となる環状パイプ２０の外周部に逆Ｔ字状の第１の脚部フレーム２１が溶接によって一体的に取り付けられている。環状パイプ２０の中央部に下向き円弧状の補強パイプ２２が溶接によって一体的に取り付けられ、一端が環状パイプ２０に、そして中間部分が補強パイプ２２の下にそれぞれ溶接によって一体的に取り付けられるとともに下方に延びるように第２および第３の脚部フレーム２３，２４が設けられている。環状パイプ２０には、網状のシート部２５が付設されている。【００３９】
組み付けに際しては、切込み穴４が円形になるように椅子用シート材３を変形させ、切込み穴４を環状パイプ２０に外嵌し、放射性芯材１２の基板部および第１の肘部補強用芯材１７などを環状パイプ２０に一体的に連結固定する。上記連結は、番線やネジ、ボルト・ナットなど、各種手段を介して行うことができる。
しかる後、シート部２５にクッション（座布団）２６を載置する。
【実施例２】
【００４０】
図８の（ａ）は、本発明に係る背もたれ椅子の実施例２の椅子用シート材の一部破断正面図、（ｂ）は、実施例２の分解斜視図であり、実施例１と異なるところは次の通りである。
すなわち、実施例１の切込み穴４より下方の部分を無くした状態で椅子用シート材１０３が構成されている。他の構成は実施例１と同じであり、同一図番を付してその説明は省略する。
この椅子用シート材１０３では、放射性芯材１２の基板部および第１の肘部補強用芯材１７が最下端となり、これらの放射性芯材１２の基板部および第１の肘部補強用芯材１７を円弧状に変形させて環状パイプ２０に一体的に連結固定し、これにより背もたれ椅子を作製する。【００４１】
上記実施例１および実施例２では、保形材８を放射性芯材１２と第１および第２の補強用芯材１３，１４で構成し、それぞれをステンレス製プレートやスチール線といった金属製にしているが、従来のような剛性フレーム部材で構成せずに、着座者の腰部分に対して必要な支持強度を有しながら弾性撓み変形できるように構成するものであれば良く、例えば、炭素繊維製のシートや線材とか、それらに補強材としてガラス繊維製のシート材などを付設するなど、各種の材料ならびに構成が適用できる。また、保形材８を三部材１２，１３，１４で構成しているが、例えば、放射性芯材１２自体を、着座者の腰部分に対する支持箇所側程厚みが大きくなるようなシートを用いるなど、保形材８を単一部材や複数部材で構成しても良い。【００４２】
また、上記実施例１および実施例２では、メッシュ状シートとして、３枚の第１、第２および第３のメッシュ状シート９，１０，１１を付設して構成しているが、１枚でも複数枚でも良い。また、その材料としても、合成樹脂製、金属線を利用するもののいずれでも良く、弾性撓み変形可能で、かつ、保形材８との協働により、自然状態では背もたれ形状になる弾性復元力を有するとともに使用状態では突っ張り力により背もたれ状態を維持しながら弾性変位できるように芯材シート５を構成するものであれば良い。
【実施例３】
【００４３】
図９は、本発明に係る背もたれ椅子の実施例３の椅子用シート材の正面図、図１０は椅子用シート材の一部破断正面図、図１１は椅子用シート材の構成材の構成を離間して示す構成図（図１１は、各構成材の配置関係を示すものであり、各構成材間の厚みおよび上下長さそれぞれの比率は対応していない）であり、椅子用シート材５３が、上方側が突き出た全体四角形状に形成されている。
椅子用シート材５３には、それを貫通して、左右の頂角どうしを結ぶ仮想線上あるいはそれと略平行な位置に、椅子の着座部の全周の半分の長さまたはそれより長いほぼ半分の長さの長円形状の切込み穴５４が形成され、切込み穴５４を椅子用支持フレーム１（図７参照）に外嵌させる状態で、椅子用シート材５３が椅子用支持フレーム１に取り付けられる。【００４４】
椅子用シート材５３は、芯材シート５５と、その芯材シート５５の使用状態で着座姿勢の着座者の背中側となる面およびそれとは反対側の面それぞれに重なるように設けられた背中側緩衝用シート５６および外面側緩衝用シート５７とから構成されている。【００４５】
芯材シート５５は、保形材５８を塩化ビニール樹脂製の第１および第２のノンスリップシート６０，６１で挟んで構成されている。これらの第１および第２のノンスリップシート６０，６１に代えて布や不織布などのシートを用いても良い。
保形材５８は、切込み穴５４に近接させた基板部から上方に放射状に分散して延出させた放射性芯材６２を２方向炭素繊維製シート５９に両面接着テープ（図示せず）で接着し、その放射性芯材６２の基板部側に、着座者の腰部分に対する支持強度を高める第１および第２の補強用芯材６３，６４を接着して構成されている。【００４６】
放射性芯材６２ならびに第１および第２の補強用芯材６３，６４それぞれは、炭素繊維（目付３００ｇ／ｍ２）を用いた薄肉（例えば、０．１６７ｍｍ）の炭素繊維製シート（炭素繊維トウシート、ＦＴＳ−Ｃ１−３０：日鉄コンポジット株式会社製）を、接着樹脂としてのエポキシ樹脂（無溶剤・２液・常温硬化型、ＦＲ−Ｅ３Ｐ：日鉄コンポジット株式会社製）に含浸し、高強度でありながら充分な弾性が得られる高強度炭素繊維製シートで構成されている。
上記含浸処理としては、エポキシ樹脂を炭素繊維製シートに塗布して含浸させても良く、また、エポキシ樹脂の液中に炭素繊維製シートを浸漬して含浸させるものでも良い。【００４７】
また、放射性芯材６２は、左右両端のものの幅を他部よりも広くするとともに、中央部のものの基板部側の幅をやや広くかつ先端側に幅広部分を形成する状態で放射状に構成されている。放射性芯材６２の先端部分それぞれは、正面視で滑らかな半円形状に形成されている。
放射性芯材６２ならびに第１および第２の補強用芯材６３，６４それぞれと第１のノンスリップシート６０、ならびに、炭素繊維製シート５９と第２のノンスリップシート６１それぞれは合成ゴム系溶剤型接着剤で接着されている。
上記構成により、保形材５８が全体として弾性撓み変形可能に構成されている。【００４８】
第１および第２のノンスリップシート６０，６１それぞれの外周縁のシール部は、ポリプロピレンの糸芯を備えたポリエステル樹脂で成形されている。
第１および第２のノンスリップシート６０，６１それぞれの外周縁が、後述する外面側緩衝用シート５７を構成する第３の緩衝用シート６７にミシン縫いまたは手縫いによって一体化され、保形材５８の全体を被覆して保形材５８が外部に突出することを防止するとともに炭素繊維製シート５９が体圧で動く際に音が出るのを防止できるように構成されている。
上記構成により、芯材シート５５が、自然状態では背もたれ形状になる弾性復元力を有するとともに使用状態では突っ張り力により背もたれ状態を維持しながら弾性変位可能に構成されている。【００４９】
背中側緩衝用シート５６は、厚みのある（例えば、２０ｍｍ）ウレタン製の第１の緩衝用シート６５と、第１の緩衝用シート６５の半分程度の厚みのチップウレタンによる第２の緩衝用シート６６で構成されている。第１の緩衝用シート６５と第２の緩衝用シート６６とが合成ゴム系溶剤型接着剤で接着されるとともに、第２の緩衝用シート６６と第１のノンスリップシート６０が合成ゴム系溶剤型接着剤で接着されている。【００５０】
外面側緩衝用シート５７は、シート状に成形された不織布７ａを二枚重ね合わせ、ニードルパンチにより一体化したフェルト（例えば、厚み５ｍｍ）による第３の緩衝用シート６７とテトロン綿（例えば、厚み５ｍｍ）による第４の緩衝用シート６８で構成されている。
第１の緩衝用シート６５の外周縁が外方側に折り返され、その端縁が第４の緩衝用シート６８に縫合などにより接合されている。
第１の緩衝用シート６５から第４の緩衝用シート６８にわたり、その全体が上張り裂地（きれじ）６９で被覆されている。この上張り裂地６９としては、各種色彩や各種模様を付した布材などが用いられる。【００５１】
椅子用シート材５３の構成材それぞれのいずれもが平板状で、椅子用シート材５３が平板状に構成され、保管や椅子用支持フレーム１との組み付け箇所への搬送に際して多数の椅子用シート材５３を積み重ねることができ、保管スペースが狭くて済むとともに椅子用シート材５３を効率良く搬送して搬送コストを低減でき、背もたれ椅子を安価に製作できるようになっている。【００５２】
椅子用シート材５３を椅子用支持フレーム１に組み付けた使用状態で、両肘部分それぞれに対応する箇所に第２の補強用芯材６４の先端側部分が配置され、全体として、椅子用シート材５３の肘部分に着座者の肘からの荷重がかかったときに、椅子用シート材５３の背もたれ部２にかかる方向に直交する方向にかかる肘部分への荷重を受け止めながら、肘部分への荷重に対応して左右方向に変位できるように構成されている。
他の構成は実施例１と同じであり、上記芯材シート５５の構成と相俟って、椅子用シート材５３の背もたれ部２に着座者の荷重がかかったときに芯材シート５５の弾性により椅子用シート材５３の背もたれ部２の左右両端が互いに接近する方向に変位させ、着座者の身体を包み込むように支えることができるように構成されている。【００５３】
また、椅子用シート材５３の背もたれ部２の上方部分が、着座者の頭部を支持可能に延出され、上記芯材シート５５の構成と相俟って、延出部分２ａに着座者の頭部の荷重がかかったときに、延出部分２ａが芯材シート５５の弾性により椅子用シート材５３の背もたれ部よりも後方に撓み変位できるように構成されている。
【実施例４】
【００５４】
図１２は、本発明に係る背もたれ椅子の実施例４の椅子用シート材の一部破断正面図、図１３は椅子用シート材の構成材の構成を離間して示す構成図（図１３は、各構成材の配置関係を示すものであり、各構成材間の厚みおよび上下長さそれぞれの比率は対応していない）であり、実施例３における芯材シート５５を改良したもので、次に説明する。【００５５】
すなわち、実施例３の保形材５８に代わる保形材７１が、１枚ものの平板状の炭素繊維製シート７２に補強用炭素繊維製シート７３を合成ゴム系溶剤型接着剤で接着して構成されている。
炭素繊維製シート７２には、上端側に放射部分７２ａが備えられ、中心部に大径の第１の穴７２ｂが形成されるとともに、中心から両側それぞれに第１の穴７２ｂよりも小径の第２の穴７２ｃが形成されている。
補強用炭素繊維製シート７３は、炭素繊維製シート７２の基端側全体にわたる大きさに構成され、補強用炭素繊維製シート７３の両肘部分それぞれに対応する箇所に上下方向に幅がある幅広部分７３ａが備えられている。【００５６】
炭素繊維製シート７２および補強用炭素繊維製シート７３それぞれは、２方向炭素繊維（目付３００ｇ／ｍ２、各方向それぞれでの繊維厚みが０．０８３４ｍｍ）を用いた薄肉（例えば、０．１６８ｍｍ）の炭素繊維製シート（炭素繊維トウシート、ＦＴＳ−Ｃ０−３０ＢＷ：日鉄コンポジット株式会社製）を接着樹脂としてのエポキシ樹脂（無溶剤・２液・常温硬化型、ＦＲ−Ｅ３Ｐ：日鉄コンポジット株式会社製）に含浸し、高強度でありながら充分な弾性が得られる高強度炭素繊維製シートで構成されている。他の構成は実施例３と同じであり、同一図番を付すことによりその説明は省略する。【００５７】
この実施例４によれば、保形材７１を炭素繊維製シート７２および補強用炭素繊維製シート７３で構成でき、実施例３に比べて構成を簡単にできる利点を有しているが、本発明としては、椅子用支持フレーム１への取り付け箇所の厚みを大にするなど、保形材７１を１部材で構成するようにしても良い。【００５８】
椅子用支持フレーム１を構成する環状パイプ２０、補強パイプ２２、ならびに、第１、第２および第３の脚部フレーム２１，２３，２４それぞれの材料としては、金属製や木製、プラスチック製など各種の材料が適用できる。
また、本発明の椅子用支持フレーム１としては、着座部が丸型、すなわち、平面視円形のものを用いるのが好ましいが、着座部が四角形などの角型のものにも適用できる。いずれの場合であっても、その着座部の形状のいかんにかかわらず、切込み穴４、５４としては、椅子用支持フレーム１に外嵌させる状態で椅子用シート材３、５３を取り付けることができるように、着座部の全周の半分またはほぼ半分の長さに形成すれば良い。【００５９】
実施例３における放射性芯材６２と第１および第２の補強用芯材６３，６４、ならびに、実施例４における炭素繊維製シート７２および補強用炭素繊維製シート７３それぞれとしては、所定形状に切断した炭素繊維製シートをエポキシ樹脂に含浸処理して形成するものに限らず、炭素繊維製シートをエポキシ樹脂に含浸処理した後で所定の型抜きをして形成するものでも良い。
また、使用する炭素繊維製シートとしても、目付３００ｇ／ｍ２に限定されず、各種目付のものが適用できる。【００６０】
上記実施例では、緩衝用シートとして、背中側緩衝用シート６、５６と外面側緩衝用シート７、５７とを設けているが、背中側にのみ設けるものでも良く、また、背中側緩衝用シート６、６６として、２枚の第１および第２の緩衝用シート１５，１６、６５，６６で構成するものに限らず、１枚あるいは３枚以上でも良い。【００６１】
本発明としては、実施例１、実施例３および実施例４それぞれの構成のものにおいて、上記実施例２のように上下長さを短く構成して、切込み穴４、５４を形成せずに、椅子用支持フレーム１に取り付けた状態で椅子用シート材３、５３の下方側が背もたれ部２の鉛直下方に連なるように構成するものでも良い。【００６２】
また、上記実施例では、椅子用シート材３、５３の使用状態で両肘部分それぞれに対応する箇所に第１および第２の肘部補強用芯材１７，１８や、第２の補強用芯材６４や、補強用炭素繊維シート７３を介装し、椅子用シート材３、５３の肘部分に着座者の肘からの荷重がかかったときに、椅子用シート材３、５３の背もたれ部２にかかる方向に直交する方向にかかる肘部分への荷重を受け止めながら、肘部分への荷重に対応して左右方向に変位できるように構成しているが、椅子用シート材３、５３の使用状態で両肘部分それぞれに対応する箇所が無いものでも良い。
【符号の説明】
【００６３】
１…椅子用支持フレーム
２…背もたれ部
２ａ…背もたれ部の延出部分
３、５３…椅子用シート材
４、５４…切込み穴
５、５５…芯材シート
６、５６…背中側緩衝用シート（緩衝用シート）
７、５７…外面側緩衝用シート（緩衝用シート）
８、５８、７１…保形材
９…第１のメッシュ状シート（メッシュ状シート）
１０…第２のメッシュ状シート（メッシュ状シート）
１１…第３のメッシュ状シート（メッシュ状シート）
１２…放射性芯材（保形材）
１３…第１の補強用芯材（保形材）
１４…第２の補強用芯材（保形材）
１５…第１の緩衝用シート（緩衝用シート）
１６…第２の緩衝用シート（緩衝用シート）
５９…炭素繊維製シート（保形材）
６２…放射性芯材（保形材）
６３…第１の補強用芯材（保形材）
６４…第２の補強用芯材（保形材）
６５…第１の緩衝用シート（緩衝用シート）
６６…第２の緩衝用シート（緩衝用シート）
６７…第３の緩衝用シート（緩衝用シート）
６８…第４の緩衝用シート（緩衝用シート）
７２…炭素繊維製シート（保形材）
７３…補強用炭素繊維製シート（保形材）
１０３…椅子用シート材
【図１】
2012042742.tif 000003
【図２】
2012042742.tif 000004
【図３】
2012042742.tif 000005
【図４】
2012042742.tif 000006
【図５】
2012042742.tif 000007
【図６】
2012042742.tif 000008
【図７】
2012042742.tif 000009
【図８】
2012042742.tif 000010
【図９】
2012042742.tif 000011
【図１０】
2012042742.tif 000012
【図１１】
2012042742.tif 000013
【図１２】
2012042742.tif 000014
【図１３】
2012042742.tif 000015
【国際調査報告】
2012042742.tif 000016
2012042742.tif 000017
2012042742.tif 000018
2012042742.tif 000019
2012042742.tif 000020
2012042742.tif 000021
2012042742.tif 000022
2012042742.tif 000023